【手続補正書】
【提出日】平成16年5月12日(2004.5.12)
【手続補正１】
【補正対象書類名】特許請求の範囲
【補正対象項目名】全文
【補正方法】変更
【補正の内容】
【特許請求の範囲】
【請求項１】
経皮的茎完全性評価を実施するためのシステムであって、以下：
（ａ）絶縁部材を茎標的部位に経皮的に導入するための手段；
（ｂ）刺激要素と茎ネジパイロットホールの内部との間の電気的連絡を確立するための手段；
（ｃ）刺激シグナルを該刺激要素に印加するための手段；および
（ｄ）該刺激シグナルを該刺激要素に印加した結果として、該茎に近接する神経が、神経支配しているか否かを評価するためにモニタリングするための手段、
を包含する、システム。
【請求項２】
請求項１に記載のシステムであって、さらに、前記茎標的部位が、完全に挿入された茎ネジ、ならびに最初に形成された茎ネジパイロットホールおよび調製された茎ネジパイロットホールのうちの少なくとも１つの開口部のうちの少なくとも１つを含む、システム。
【請求項３】
請求項１に記載のシステムであって、さらに、前記絶縁部材が、Ｋ−ワイヤ絶縁体を含む、システム。
【請求項４】
請求項３に記載のシステムであって、さらに、（ｂ）前記刺激要素と前記茎ネジパイロットホールの内部との間の電気的連絡を確立するための手段が、（ｉ）前記Ｋ−ワイヤの遠位先端が完全に挿入された茎ネジと接触するように、前記Ｋ−ワイヤ絶縁体を通してＫ−ワイヤを配置するための手段；および（ｉｉ）該遠位先端が、該茎ネジパイロットホールの内部と接触するように、該Ｋ−ワイヤ絶縁体を通して該Ｋ−ワイヤを配置するための手段のうちの少なくとも１つを備える、システム。
【請求項５】
請求項１に記載のシステムであって、さらに、（ｂ）前記刺激要素と前記茎ネジパイロットホールの内部との間の電気的連絡を確立するための手段が、該刺激要素を、前記絶縁部材を通して配置されるタップ部材と接触させるための手段を備える、方法。
【請求項６】
請求項６に記載のシステムであって、さらに、前記刺激要素が、Ｋ−ワイヤであり、そして前記タップ部材が、該Ｋ−ワイヤを受容し、かつ該Ｋ−ワイヤを中に通す長手軸管腔を備える、システム。
【請求項７】
請求項１に記載のシステムであって、前記絶縁部材が、茎ネジパイロットホール調製ツールを受容するような寸法である管状要素を含む、システム。
【請求項８】
請求項７に記載のシステムであって、さらに、（ｂ）前記刺激要素と前記茎ネジパイロットホールの内部との間の電気的連絡を確立するための手段が、（ｉ）前記茎ネジパイロットホール調製ツールを該茎ネジパイロットホール内に導入するための手段；および（ｉｉ）該刺激要素と該茎ネジパイロットホール調製ツールとの間に電気的連絡を確立するための手段を備える、システム。
【請求項９】
請求項８に記載のシステムであって、さらに、前記茎ネジパイロットホール調製ツールが、タップ部材である、システム。
【請求項１０】
請求項９に記載のシステムであって、さらに、前記刺激部材が、Ｋ−ワイヤであり、そして前記タップ部材が、電気的連絡を確立するために、Ｋ−ワイヤを受容し、かつ該Ｋ−ワイヤを中に通す長手軸管腔を有する、システム。
【請求項１１】
請求項１に記載のシステムであって、さらに、前記絶縁部材が、刺激供給源と前記刺激要素との間に電気的接触を確立するための電気結合機構を備える、システム。
【請求項１２】
請求項１に記載のシステムであって、さらに、前記刺激シグナルが、刺激供給源と電気的に連絡する電気結合機構の使用によって、前記刺激部材に直接印加される、システム。
【請求項１３】
経皮的茎完全性評価を実施するシステムであって、以下：
（ａ）絶縁されたＫ−ワイヤを、茎ネジおよび茎ネジパイロットホールのうちの少なくとも１つと接触して経皮的に導入するための手段；
（ｂ）刺激シグナルを該Ｋ−ワイヤに印加するための手段；および
（ｃ）該刺激シグナルを該Ｋ−ワイヤに印加した結果として、該茎に近接する神経が、神経支配しているか否かを評価するためにモニタリングするための手段、
を備える、システム。
【請求項１４】
経皮的茎完全性評価を実施するシステムであって、以下：
（ａ）絶縁部材を茎ネジパイロットホールの近くの開口部に、経皮的に導入するための手段；
（ｂ）該絶縁部材を通して茎ネジパイロットホール調製ツールを導入して、該茎ネジパイロットホールを調製するための手段；
（ｃ）刺激シグナルを該茎ネジパイロットホール調製ツールに印加するための手段；および
（ｄ）該刺激シグナルを該茎ネジパイロットホール調製ツールに印加した結果として、該茎に近接する神経が、神経支配しているか否かをモニタリングするための手段、
を包含する、方法。
【請求項１５】
経皮的茎完全性評価を実施するシステムであって、以下：
（ａ）絶縁されたＫ−ワイヤを茎ネジパイロットホールと接触して、経皮的に導入するための手段；
（ｂ）該Ｋ−ワイヤに刺激シグナルを印加するための手段；
（ｃ）該Ｋ−ワイヤに刺激シグナルを印加した結果として、該茎に近接する神経が、神経支配しているか否かをモニタリングするための手段；
（ｄ）絶縁部材を茎ネジパイロットホールの近くの開口部に、経皮的に導入するための手段；
（ｅ）タップ部材を、該絶縁部材を通して導入して、該茎ネジパイロットホールを調製するための手段；
（ｆ）刺激シグナルを該タップ部材に印加するための手段；および
（ｇ）該刺激シグナルを該タップ部材に印加した結果として、該茎に近接する神経が、神経支配しているか否かをモニタリングするための手段、
を包含する、システム。
【請求項１６】
経皮的茎完全性評価を実施するためのシステムであって、以下：
本体であって、該本体が、中を通して刺激要素を受容するような寸法のアパーチャおよび患者内の茎標的部位に経皮的に導入され得る絶縁領域を有する、本体；および
刺激供給源であって、刺激要素と電気的に連絡しており、刺激シグナルを該刺激要素に選択的に印加して、該刺激シグナルを該刺激要素に印加する結果として、該茎標的部位に近接する神経が神経支配しているか否かを評価するための、刺激供給源、
を備える、システム。
【請求項１７】
請求項１６に記載のシステムであって、さらに、前記本体が、Ｋ−ワイヤおよび茎ネジパイロットホール調節ツールのうちの少なくとも１つを受容するような寸法の管状絶縁要素である、システム。
【請求項１８】
請求項１７に記載のシステムであって、さらに、前記茎ネジパイロットホール調製ツールが、タップ部材である、システム。
【請求項１９】
請求項１７に記載のシステムであって、さらに、前記管状絶縁要素が、前記刺激供給源と前記刺激要素との間に電気的接触を確立するための電気結合機構を備える、システム。
【請求項２０】
請求項１６に記載のシステムであって、さらに、前記刺激シグナルが、前記刺激供給源と電気的に連絡する電気結合機構の使用によって、前記刺激部材に直接印加される、システム。
【請求項２１】
請求項１６に記載のシステムであって、さらに、前記刺激シグナルを前記刺激要素に印加する結果として、前記茎標的部位に近接する神経が、神経支配しているか否かを評価するためのＥＭＧモニタリングシステムを備える、システム。
【請求項２２】
請求項２１に記載のシステムであって、さらに、前記ＥＭＧモニタリングシステムが、前記刺激シグナルを前記刺激要素に印加する結果として、前記茎標的部位に近接する神経が神経支配しているか否かに関する文字数字情報およびグラフィカル情報のうちの少なくとも１つを、ユーザーに表示する、システム。